(57)【要約】      （修正有）【課題】放熱効果が高い複合型ファン及び該ファンを用いた放熱装置の構造を提供する。【解決手段】ハブ１１０及び複数のブレード１５０で構成され、発熱源を冷却する複合型ファンであって、ハブは相対する第一側面１２０及び第二側面１３０を具有し、各々のブレードはハブの外周面１４０に分布して配置され、且つハブから延伸する第一部分１６０及び第一部分と接続する一つの第二部分１７０を具え、各第二部分はハブの第一側面或いは第二側面から突出して配置され、且つ軟性材料からなる複数の筋状構造である。筋状構造により発熱源の表面に近接して配置することができ、効果的に送風、排熱することができる。【選択図】図１
0003204320.tif 000002
【実用新案登録請求の範囲】
【請求項１】
一つのハブ及び複数のブレードからなり、
該ハブは相対する第一側面及び第二側面を具有すると共に、その外周面に各々のブレードを分布して配置し、
各々のブレードはハブから延伸する第一部分及び第一部分と接続する第二部分を具え、各第二部分は前記ハブの第一側面或いは第二側面から突出して配置され、且つ各第二部分は複数の筋状構造からなることを特徴とする複合型ファンの構造。
【請求項２】
前記ブレードの第二部分の筋状構造の材質は、石墨或いは金属とすることを特徴とする請求項１記載の複合型ファンの構造。
【請求項３】
前記ブレードの第一部分の剛性は、前記第二部分の剛性より大きいことを特徴とする請求項１記載の複合型ファンの構造。
【請求項４】
前記ブレードの第一部分と第二部分は一体成型して作られることを特徴とする請求項１記載の複合型ファンの構造。
【請求項５】
前記ブレードの第二部分と第一部分はインサート成型の方法で成型することを特徴とする請求項１記載の複合型ファンの構造。
【請求項６】
更に複数の刷毛装置を具え、各々の刷毛装置は前記ブレードの第二部分に結合し、且つそれぞれ各ブレードのうちの一方の側面に貼り付けて固定することを特徴とする請求項１記載の複合型ファンの構造。
【請求項７】
前記各々の刷毛装置は更に一つ結合部を具え、前記ブレードの第二部分の筋状構造に結合して固定することを特徴とする請求項６記載の複合型ファンの構造。
【請求項８】
請求項１〜請求項７記載の複合型ファン及びケースから構成され、
該ケースは該複合型ファンを収納し、且つ前記ブレードの第二部分は該発熱源の方向に向けて設置することを特徴とする、発熱源を冷却するのに適する放熱装置の構造。
【請求項９】
前記ケースは、第一外ケース及び該第一外ケースと互いに蓋合する第二外ケースからなると共に一つの送風口を具え、
該第一外ケースは、前記ファンの軸受け及び少なくとも一つの吸気口を具有し、該吸気口の方向は、前記送風口と垂直或いは相対する方向に設置することを特徴とする請求項８記載の放熱装置の構造。
【請求項１０】
前記ケースの片側面は、前記発熱源の一方の表面に接合され、前記ブレードの第二部分の筋状構造は、該ケース或いは前記発熱源の表面に接触或いは接触せず、該筋状構造が該ケース或いは前記発熱源の表面に接触しない場合、該筋状構造とケース或いは前記発熱源の該表面との間に間隙を具有することを特徴とする請求項８記載の放熱装置の構造。
【考案の詳細な説明】
【技術分野】
【０００１】
本考案は、ファン及び該ファンを備えた放熱装置の構造に関し、特に筋状構造を結合することで、より発熱源に近接した複合型ファン及び該ファンを備えた放熱装置の構造に関する。
【背景技術】
【０００２】
近年は電子産業の発展に伴い、電子部品の性能はますますよくなった。運算スピードがどんどん速くなり、当該内部のチップセットの運算スピードも絶えず早くなった。チップの数も増える一方で、チップが作動する際に発する熱エネルギーもそれに対応して増えている。それらの熱を即座に放散しなければ、電子製品の性能に大きく影響を及ぼし、電子部品の運算スピードが遅くなる。熱がこもることで、電子部品を焼損する可能性もあるため、電子部品に対して放熱をする必要がある。
【０００３】
デスクトップパソコン或いはノート型パソコンなど、設置スペースに限りがある電子設備の中で、通常電子部品の近くに一つの送風装置を設置する。送風装置のファンが回転することで生まれる気流を電子部品、或いは電子部品の上に設置する放熱器に直接吹き付けて、効果的に放熱を行う。従来の送風構造は、通常一つのハブ及び該ハブから外向けに直線型に延伸して形成する複数のブレードを含む。且つ、それらブレードは同じ時計回りの方向に沿って傾斜して設置する。送風装置によって生じる気流の大きさは、ファンの回転速によるほか、ファンの受風面積及びブレードの角度も関係する。
【０００４】
しかし、従来のファンの面積或いはブレードの角度設計では、効果的に放熱効果を高める力はないことを鑑みて、更なる改善が必要であった。
【先行技術文献】
【特許文献】
【０００５】
【特許文献１】特開２０１０−２８３９６０号公報
【特許文献２】特開２０１０−２４６２４１号公報
【考案の概要】
【考案が解決しようとする課題】
【０００６】
前記公知構造の欠点を解決するため、本考案は一つの筋状構造を結合してより発熱源の表面に近接させることができ、それによって効果的に熱を放出できる複合型ファン及び該ファンを備えた放熱装置を提供することを主な課題とする。
【課題を解決するための手段】
【０００７】
前記課題を解決するために、本考案は一種の複合型ファンの構造を提供するものである。一つのハブ及び複数のブレードで構成し、一つの発熱源を冷却するのに適する複合型ファンの構造である。ハブは相対する第一側面及び第二側面を具有する。各々のブレードはハブの外周面に分布して配置され、且つハブから延伸する第一部分及び第一部分と接続する第二部分を具え、各第二部分は第一側面或いは第二側面から突出して配置され、且つ各第二部分は軟性材料からなる複数の筋状構造である。
【０００８】
前記課題と解決するために、本考案は一種の放熱装置の構造を提供するものである。前記実施例のような複合型ファン及び一つのケースを含み、該ケースは該複合型ファンを収納し、且つ各第二部分は該発熱源の方向に向けて設置する
【０００９】
本考案は更に下記の効果を具有する。各ブレードの第二部分(即ち各筋状構造)を使って、第一部分より柔らかい特徴を具有し、より発熱源に近接することができ、更に効果的に発熱源の廢熱を掃出することができる。各筋状構造は単独で貼ることができ、且つ各ブレード(即ち第一部分)の片側面の外に突出することができ、更に一つの結合部と結合して、各筋状構造を一つの刷毛装置に統合することができる。このようにすれば、更に簡単に各ブレードの側面上に組み立てることができる。
【考案の効果】
【００１０】
本考案は、一つの発熱源を冷却するのに適する複合型ファンの構造であり、より発熱源の表面に近接させることができ、更に効果的に熱を発散させることができる。
【図面の簡単な説明】
【００１１】
【図１】本考案の第一実施例の複合型ファンの立体略図である。
【図２】本考案の別の実施例の複合型ファンの立体略図である。
【図３】本考案の第一実施例の複合型ファンを放熱装置に応用した立体分解図である。
【図４】本考案の第一実施例の複合型ファンを放熱装置に応用した断面図である。
【図５】本考案の第二実施例の複合型ファンを放熱装置に応用した立体分解図である。
【図６】本考案の別の実施例の複合型ファンの立体略図である。
【考案を実施するための形態】
【００１２】
以下、本考案の構造と特徴および効果を、最良実施例と図面を参照しながら詳細に説明する。しかし、添付する図式は参考及び説明のためのものであり、本考案を制限するものではない。
【実施例１】
【００１３】
図１及び図２に示すように、本考案の複合型ファン１００に含まれるのは一つのハブ１１０及び複数のブレード１５０である。ハブ１１０は、相対する一つの第一側面１２０及び一つの第二側面１３０を具有する。各々のブレード１５０は、同じ距離、或いは異なる距離でハブ１１０の外周面１４０に分布し、且つハブ１１０から延伸する一つの第一部分１６０及び第一部分１６０と接続する一つの第二部分１７０を具え、各第二部分１７０は第一側面１２０或いは第二側面１３０の面から突出し、且つ各第二部分１７０の最良の構造は複数の筋状構造１８０である。
【００１４】
本実施例において、各々のブレード１５０の最良の形態は、一つの角度で直線的に同一の回転方向に向かって延伸して形成するものであり、遠心フローファンとして応用することができる。各々のブレード１５０もまた、ハブ１１０の外周面１４０から外方に向けて円弧型に彎曲して形成する。或いは図４に示すように、軸流ファンに応用することもできる。しかし、その他の異なる実施例において、各々のブレード１５０は、径方向に放射状に直線に延伸し、円弧型に曲げて延伸、或いはその他の形のブレードにすることができ、これらの形態に格別に制限されない。
【００１５】
図１及び図２に示す実施例において、ハブ１１０は更に一つのシャフト１１２及び一つの環状凹部１１４を具有する。シャフト１１２の端部の最良の形態は、第二側面１３０の底面の接続し、且つ環状凹部１１４の中央に設置する。よって、各ブレード１５０の第二部分１７０の最良の形態は、相対する環状凹部１１４の開口の反対方向に向けて突出し、そして第二側面１３０の外方に向かって突出して延伸する。しかし、別に示す実施例ではシャフト１１２の一端は第一側面１２０の底面に接続することもでき、それによりブレード１５０の第二部分１７０が第一側面１２０の外方に突出するようになる。これらの形態はニーズに合わせて変更すればよい。
【００１６】
この他、各ブレード１５０の第二部分１７０の各筋状構造１８０の材質の最良の形態は、石墨(Ｇｒａｐｈｉｔｅ)、金属或いはその他の導熱できる軟性材質を含むが、それに限られない。各筋状構造１８０の形状は、石墨の糸状、銅の糸状、アルミニウムの糸状或いはその他の合金の糸状などを含むが、それに限られない。ファン１００本体の各第一部分１６０の剛性の最良の形態は各第二部分１７０の剛性より強く、また各第二部分１７０の柔軟性は各第一部分１６０より柔らかいため、筋状構造１８０はファン１００に従って回転することができ、且つ第一部分１６０に相対して変形する力を具有し、それにより受風効果を増すことができる。
【００１７】
図１に示す実施例において、更に複数の刷毛装置１９０を含む。各々の刷毛装置１９０は各第二部分１７０を結合し、且つそれぞれ各ブレード１５０のうちの一方の側面に貼り付けて固定する。各々の刷毛装置１９０は更に各筋状構造１８０と同じ或いは異なる金属材料の結合部１９２を含み、各筋状構造１８０を結合して固定する。放熱効果を加速するために、各第一部分１６０の材質は、銅、銀、アルミニウム或いはその他の合金など、各刷毛装置１９０の材質と同じ或いは異なる導熱材料にすることができ、ニーズ或いは設計に合わせて変更する。しかし、図２に示すような実施例において、各第二部分１７０はまた、各ブレード１５０のうちの一つの側面上に直接貼り付けて固定することができる。これらの形態はニーズに合わせて適宜に変更する。
【００１８】
この他、別に示す実施例において、各第一部分１６０はまた各第二部分１７０と一体成型して作られる。また或いは、別に示す実施例において、各第二部分１７０はまた各第一部分１６０とインサート成型(Ｉｎｓｅｒｔ Ｍｏｌｄｉｎｇ)の方法で成型し、これらはニーズに合わせて変更する。
【００１９】
図３及び図４に示すのは、本考案が前記第一実施例を応用した複合型ファンを放熱装置に組み立てた分解図及び断面図である。図に示すように、本考案は別途に一つの放熱装置２００を提供し、発熱源２１０を冷却するのに適する。前記実施例は、複合型ファン１００及びケース２２０からなる。該ケース２２０の中に複合型ファン１００を収納し、且つ各第二部分１７０を前記発熱源２１０の方向に向けて設置する。
【００２０】
本実施例において、ケース２２０の最良の形態は、熱伝導性の良い鉄、アルミニウム或いはその合金などの金属材質である。ケース２２０は、更に、第一外ケース２３０及び第一外ケース２３０と互いに蓋合する第二外ケース２４０からなる。第一外ケース２３０は軸受け２５０及び少なくとも一つの吸気口２６０を具有する。該第一外ケース２３０を第二外ケース２４０に蓋合する際、ケース２２０の片側に一つの送風口２７０を形成することで、前記吸気口２６０の方向は、送風口２７０と垂直の方向にあるため、本実施例の複合型ファン１００の最良の形態は、遠心フローファン(ｃｅｎｔｒｉｆｕｇａｌ ｆｌｏｗ ｆａｎ)である。
【００２１】
複合型ファン１００のハブ１１０は、軸受け２５０と組み合わせるシャフト１１２及びステータ(図省略)を収納する環状凹部１１４を具有する。シャフト１１２の端部の最良の形態は、第二側面１３０の底面と接続し、且つ環状凹部１１４の中央に設置することで、複合型ファン１００は軸受け２５０を軸心としてケース２２０に相対して回転する。
【００２２】
図４に示すように、放熱装置２００が回路基板２１２と電気接続する発熱源２１０の一方の表面と接合する場合、つまり、第二ケース２４０が発熱源２１０の該表面に接合する場合、その中の各第二部分１７０(つまり各筋状構造１８０)を発熱源２１０の方向に向けて設置する。放熱装置２００を運転する際、遠心フローファン１００は各ブレード１５０が回転して気流を生じるのに加えて、各筋状構造１８０は最も発熱源２１０の表面に接近した位置を保持することができるため、更に迅速且つ効果的に廢熱を送風口２７０から排出することができる。
【００２３】
本実施例において、各第二部分１７０の最良の形態は、ケース２２０の第二ケース２４０の内表面に接触しないこと。そして、各筋状構造１８０と第二ケース２４０の内表面の間に、非常に小さい間隙Ｄを具有するため（図４参照）、各筋状構造１８０は第二ケース２４０の内表面に接触することがなく、よって騒音、摩擦或いはその他の干渉が生じることがない。しかし、その他で示す実施例において、各第二部分１７０は柔らかい材料であるため、各第二部分１７０はケース２２０の第二ケース２４０の内表面に接触することもできるため、前記と同様の効果を得ることができる。
【実施例２】
【００２４】
図５に示すのは、本考案の第二実施例の放熱装置の立体分解図である。本実施例では、単一のケース２２０に含まれるのは少なくとも一つの吸気口２６０及び一つの送風口２７０である。該送風口２７０と該少なくとも一つの吸気口２６０は互いに対応して設置することで、各円弧型に彎曲したブレード１５０を具有する複合型ファン１００を送風口２７０からケース２２０の軸受け２５０上に設置することができる。よって、本実施例の複合型ファン１００のベストは一つの軸流ファン(ａｘｉａｌ ｆｌｏｗ ｆａｎ)である。
【００２５】
本実施例の放熱装置２００を発熱源(図を省略)の表面に隣接して設置する場合、各筋状構造１８０は、更に直接発熱源２１０の方向に向けて設置することができる。同じように、放熱装置２００を運転する際、軸流ファン１００に設けた各筋状構造１８０を最も発熱源２１０の表面に接近させることができ、発熱源２１０の廃熱を送風口２７０の方向から排出することができ、このようにして放熱効果を高める。
【００２６】
この他、図５の実施例において、各第二部分１７０と発熱源(図を省略)の間では、同様に非常に小さい間隙Ｄを具有することで、各筋状構造１８０が発熱源の表面に接触することなく、騒音の発生或いは磨耗を避ける。もちろん、その他で示す実施例において、各第二部分１７０は柔らかい材料であるため、各第二部分１７０もまた発熱源の表面に接触することができ、これらの条件はニーズに合わせて変更する。
【００２７】
図６に示すのは、本考案のまた別の実施例の複合型ファンの立体略図である。図６に示すように、第二部分１７０は発熱源の方向に向けて設置できるほか、更に第一部分１６０の外縁に設置することができる。第二部分１７０の最良の形態はインサート成型方法で第一部分１６０と結合することである。本実施例の第二部分１７０のその他の構造及び接続関係は、前述したとおりであるため、再度ここでは言及しない。
【００２８】
よって、本考案の各ブレード１５０は各第二部分１７０(即ち、各筋状構造１８０)を利用し、相対する第一部分１６０は柔軟性を具有する特徴により、より発熱源２１０に近づくことができ、更に効果的に発熱源２１０の廢熱を排出することができる。更に、各筋状構造１８０は単独で貼付して設けることができ、且つ各ブレード１５０(即ち第一部分１６０)の片側面の外方に突出して配置することができ、また、一つの結合部１９２を結合して各筋状構造１８０を一つの刷毛装置１９０に統合することができる。
よって、更に簡単に各ブレード１５０の側面上に組み立てることができる。  
【００２９】
以上の実施例による本考案の詳細な説明は本考案の範囲を制限するものではない。本考案の範囲は後続の請求項範囲にて定めるものであり、本考案の範囲内にて行う変更や調整を行っても、本考案の重要な意義は失われず、本考案の範囲に含まれ、前述の内容に制限されない。
【符号の説明】
【００３０】
１００  複合型ファン
１１０  ハブ
１１２  シャフト
１１４  環状凹部
１２０  第一側面
１３０  第二側面
１４０  外周面
１５０  ブレード
１６０  第一部分
１７０  第二部分
１８０  筋状構造
１９０  刷毛裝置
１９２  結合部
２００  放熱装置
２１０  発熱源
２１２  回路基板
２２０  ケース
２３０  第一ケース
２４０  第二ケース
２５０  軸受け
２６０  吸気口
２７０  送風口
Ｄ  隙間
【図１】
0003204320.tif 000003
【図２】
0003204320.tif 000004
【図３】
0003204320.tif 000005
【図４】
0003204320.tif 000006
【図５】
0003204320.tif 000007
【図６】
0003204320.tif 000008